(57)【要約】【課題】展示物の視認性を向上させることが可能な汎用性の高い展示装置を提供する。【解決手段】展示物を展示するための展示装置１であって、展示物を設置するための展示物設置部３と、展示物設置部３に設置される展示物の正面に配置され、展示物をその正面から照明するための導光板４と、導光板４に光を供給する光源５とを備える。【選択図】図１
2007167418.tif 000002
【特許請求の範囲】
【請求項１】
展示物を展示するための展示装置であって、
前記展示物を設置するための展示物設置部と、
前記展示物設置部に設置される前記展示物の正面に配置され、前記展示物をその正面から照明するための導光板と、
前記導光板に光を供給する光源とを備える展示装置。
【請求項２】
請求項１記載の展示装置であって、
前記導光板の前記展示物側又はその反対側の表面に凹部を設けた展示装置。
【請求項３】
請求項１又は２記載の展示装置であって、
前記導光板の前記展示物側とは反対側の表面に、当該表面に入射した光が正反射するのを防止する正反射防止膜が形成された展示装置。
【発明の詳細な説明】
【技術分野】
【０００１】
本発明は、絵画、写真、及び広告等の展示物を展示するための展示装置に関する。
【背景技術】
【０００２】
図４は、従来の展示装置の概略断面構成を示す図である。
従来の展示装置１００は、開口が形成された筐体１０１と、筐体１０１内に設けられた展示物を設置するための展示物設置部１０３と、筐体１０１の開口に嵌め込まれて展示物設置部１０３に設置された展示物を保護するための保護ガラス１０２とから構成される。
【０００３】
展示装置１００にて展示物を鑑賞すると、保護ガラス１０２で外光が反射するため、保護ガラス１０２に展示装置１００が載置されている会場の照明が映り込んだり、鑑賞者自身が映り込んだりして、展示物が鑑賞しにくくなるといったことがある。これは、保護ガラス１０２で反射して鑑賞者の目に入射する光の量が、展示物で反射して鑑賞者の目に入射する光の量に対して無視できない量となることが原因である。
【０００４】
特許文献１には、展示物を、光を透過するフィルム等とし、この展示物をその背面からバックライトにて照明することで、展示物を見やすくしたり、鑑賞しやすくしたりする方法が提案されており、これらの方法では、展示物を透過して来るバックライト光があるため、上記反射による映り込みは軽減される。しかし、この方法は、展示物が光を透過するフィルム等に限定されるため、汎用性が低い。
【０００５】
【特許文献１】特開平１０−１８８６４２号公報
【発明の開示】
【発明が解決しようとする課題】
【０００６】
本発明は、上記事情に鑑みてなされたものであり、展示物の視認性を向上させることが可能な汎用性の高い展示装置を提供することを目的とする。
【課題を解決するための手段】
【０００７】
本発明の展示装置は、展示物を展示するための展示装置であって、前記展示物を設置するための展示物設置部と、前記展示物設置部に設置される前記展示物の正面に配置され、前記展示物をその正面から照明するための導光板と、前記導光板に光を供給する光源とを備える。
【０００８】
本発明の展示装置は、前記導光板の前記展示物側又はその反対側の表面に凹部が設けられている。
【０００９】
本発明の展示装置は、前記導光板の前記展示物側とは反対側の表面に、当該表面に入射した光が正反射するのを防止する正反射防止膜が形成されている。
【発明の効果】
【００１０】
本発明によれば、展示物の視認性を向上させることが可能な汎用性の高い展示装置を提供することができる。
【発明を実施するための最良の形態】
【００１１】
以下、本発明の実施形態について図面を参照して説明する。
図１は、本発明の実施形態を説明するための展示装置の概略断面を示す図である。
図１に示す展示装置１は、開口が形成された筐体２と、筐体２内に設けられた絵画、写真、及び広告等の展示物を設置するための展示物設置部３と、筐体２内で且つ展示物設置部３に設置される展示物の正面に配置され、その展示物をその正面から照明するための透明なアクリル樹脂等で構成された導光板４と、導光板４に光を供給するための光源５と、光源５から出た光を反射して導光板４に入射させるための反射板６とを備える。
【００１２】
光源５は、導光板４の側端部近傍に配置される。光源５は、冷陰極管ＣＣＦＬやＬＥＤ等を用いることができる。光源５から出た光及び反射板６で反射された光は、導光板４の側端部に入射する。
【００１３】
導光板４は、その平面視でのサイズが、展示物設置部３に設置される展示物の平面視でのサイズよりも大きく、展示物設置部３に設置される展示物と平面視上で重なるように配置されている。これにより、導光板４は展示物を保護する保護部材としても機能する。導光板４に入射した光は、その大部分が展示物側及びその反対の鑑賞者側へと出射されるため、この出射光によって展示物を正面から照明することができる。
【００１４】
筐体２は、導光板４と平面視上重なる部分に開口が形成されているが、筐体２が透明である場合には、この開口は不要である。
【００１５】
以上のような構成の展示装置１の光源５をオンにすると、光源５からの光が導光板４に入射し、入射した光の一部が導光板４から展示物へと出射される。展示物で反射した光は導光板４を通って鑑賞者側へと出射され、鑑賞者の目に入射する。一方、導光板４の鑑賞者側の表面には外光が入射し、その一部が反射して鑑賞者の目に入射し、残りが導光板４に入射する。導光板４に入射した光の一部は展示物へと出射され、展示物で反射した光は導光板４を通って鑑賞者側へと出射され、鑑賞者の目に入射する。
【００１６】
このように、展示装置１によれば、光源５からの光を展示物で反射させて鑑賞者の目に入射させることができるため、導光板４を単なるガラスに置き換えた従来の構成に比べると、鑑賞者の目に入射させる展示物からの反射光の量を多くすることができる。このため、導光板４の鑑賞者側の表面での映り込みを軽減することができ、展示物の視認性を向上させることができる。
【００１７】
又、展示装置１によれば、導光板４が展示物の保護部材としても機能するため、展示物を損傷等から守ることができる。
【００１８】
又、展示装置１によれば、光源５からの光によって展示物の視認性を向上させているため、展示装置１を設置する場所が暗い場合でも、十分に視認性を確保することができる。
【００１９】
又、展示装置１は、展示物の正面に透明な導光板４を配置し、展示物をその正面から照明する構成のため、展示物が光を透過するものに限定されることはなく、汎用性が高い。
【００２０】
尚、導光板４は、展示物をその正面から照明すると共に、展示物で反射した光を鑑賞者側へ効率良く出射させられることが好ましい。好ましい導光板の構成を図２，図３に示した。
【００２１】
図２は、図１に示す導光板４の変形例を示す部分拡大図である。図３は、図２に示す導光板４を展示物側から見たときの平面図である。
図２に示すように、導光板４の展示物側の表面には断面が三角形状の多数の凹部７が形成されている。凹部７は、図３に示すように、導光板４の展示物側の表面上の特定方向に直線状に延びた三角柱形状となっている。導光板４の展示物側の表面には、この凹部７が特定方向に直交する方向に多数配列されている。尚、凹部７の形状は図２，３に示したものに限らない。例えば、図２，３に示す凹部７の断面形状を多角形状や半円状にしたものであっても良い。又、多角柱状や円錐状の凹部を、導光板４の展示物側の表面にマトリクス状に形成した構成であっても良い。
【００２２】
図１に示すような構成では、導光板４の表面が平面になっているため、導光板４に入射した光源５からの光の一部が、その表面で全反射を繰り返し、展示物側に出射する光の量が少なくなる。ところが、図２，３に示す構成によれば、凹部７によって光路が変化するため、導光板４に入射した光の一部が、その表面で全反射する割合を減らすことができる。このため、展示物側に出射させる光の量を増やすことができ、視認性をより向上させることができる。
【００２３】
尚、ここでは、凹部７を導光板４の展示物側の表面に形成しているが、導光板４の鑑賞者側の表面に凹部７を形成しても、同様の効果を得ることができる。
【００２４】
又、凹部７は、光源５から出射された光や外光がなるべく多く展示物にまで到達し、且つ、展示物で反射した光がなるべく多く鑑賞者側へと出射されるように、最適な条件で形成すれば良い。
【００２５】
光源５からの光は、導光板４の端面から内部に入射した後、端面に対して全反射角θt（導光板の屈折率が1.5のとき、41.8°）以下の角度で導光板４内を進み、導光板４表裏の２表面には90°−41.8°＝48.2°以上の全反射角θt以上で入射するので、光は導光板４外に出射せず、全反射角を繰り返して導光板４内を進む。そのままでは導光板４の外に出射しないが、光を当てたい導光板４の展示物側の面に、導光板面とは異なる角度の凹凸を形成し、光線を導光板４外に出射させ、展示物を照明する。凹凸の形状としては、三角屋根状、半円筒型、三角垂、四角垂、円形ドーム状等の形状を用いても良い。三角屋根状や半円筒型の長い形状のものは、光源に対して直角方向に設置するのが好ましい。凹凸面の角度は10°〜50°が好ましい。凹凸の底部の幅は、明視距離で観察しても目立たない範囲の幅、すなわち、10μ〜300μ程度が好ましく、また、その密度は、導光板４の表面の面積の20%以下が好ましい。
【００２６】
又、展示物の視認性をより向上させるためには、導光板４の鑑賞者側の表面において、ここに入射する外光の正反射を抑えることが有効である。例えば、図１及び図２に示すような構成の導光板４の鑑賞者側の表面に、この表面に鑑賞者側から入射する外光がこの表面で正反射するのを防止するための正反射防止膜を設ける。この正反射防止膜は、公知のものを用いることができ、例えば、透明基板上に微細なマット状の凹凸を形成したり、透明基板上に多角錐状や円錐状の凸部を多数形成したりしたものを用いることができる。このような正反射防止膜を設けておくことで、導光板４の鑑賞者側の表面に入射した外光の反射光が、鑑賞者の目に入射する確率を減らすことができ、展示物の視認性をより向上させることが可能である。
【００２７】
上述した凹部７や正反射防止膜を設けた展示装置によれば、図１に示した展示装置１に比べ、光源５から出射される光を効率良く利用することができる。このため、光源５から出射させる光量を少なくしても、視認性を十分に維持することができ、低消費電力化を図ることが可能である。
【図面の簡単な説明】
【００２８】
【図１】本発明の実施形態を説明するための展示装置の概略断面を示す図
【図２】図１に示す導光板の変形例を示す部分拡大図
【図３】図２に示す導光板を展示物側から見たときの平面図
【図４】展示物を展示するための従来の展示装置の断面構成を示す図
【符号の説明】
【００２９】
１  展示装置
２  筐体
３  展示物設置部
４  導光板
５  光源
６  反射板
７  凹部
【図１】
2007167418.tif 000003
【図２】
2007167418.tif 000004
【図３】
2007167418.tif 000005
【図４】
2007167418.tif 000006